(57)【要約】非致死発射体または物質（任意）を到達させるための発射体は当該物質を包含するためのコンパートメント（２）を取囲む管状本体ケーシング（１）を有する。コンパートメント（２）は弾頭曲面を持つノーズキャップ（８）内で前向きに突出する中空管状材料（５）を同軸的に支持する。膨張可能な膜（７）はノーズキャップ（８）内に配置されている。標的との衝突に際して、ノーズ部の位置が変化し、少量の物質がコンパートメント（２）から開口部（６）を通過して流出可能となり、ピストン（４）はカバーの付いていないポート（１６）内で前方に移動可能となる。この動作によって、圧力気体がポート（１６）及びダクトを貫いて通過し、膜（７）を膨張させることが可能となる。また、ピストンは順方向に自由に移動し、針（５）を通って物質を放出する。従って、バッグ（７）は急速に膨張し、衝突エネルギを広い面積に亙って拡散させ、過度の貫入を防止する。この構造を用いることにより、発射体内に装薬を含ませる必要が無くなる。
2004505230.tif 000002
【特許請求の範囲】
【請求項１】
標的との衝突に際して過度の損傷、傷害、または、貫入を防止するようにその速度を効果的に低下させる手段を有し、上記手段が急速に膨張することにより標的との衝突に後続して上記発射体のノーズ部面積を大きく増加させ、上記膨張が上記発射体に蓄えられた加圧媒体によって行われることを特徴とする発射体。
【請求項２】
標的へ物質を到達させる装置を有し、上記発射体が、この種物質を収容する空洞を備え、標的との衝突点において上記物質を解放する手段と、上記標的との衝突に際して上記発射体の速度を効果的に低下させる手段とを有し、上記速度低下手段が衝突に際して作動される膨張性膜を備え、上記膜が上記発射体に蓄えられた気体圧力を用いて膨張させられる請求項１に記載の発射体。
【請求項３】
上記気体圧力が上記物質を噴出させる請求項２に記載の発射体。
【請求項４】
上記発射体の後部が武器からの上記発射体の発砲に際して推進気体圧力を蓄えるための貯蔵チャンバに通じるバルブ付きオリフィスを備える請求項１から３のいずれか一項に記載の発射体。
【請求項５】
上記貯蔵チャンバが、上記物質を放出させるように働くピストンに作用し、かつ標的との衝突に続いて上記膜を膨張させるために上記膜と導通する請求項４に記載の発射体。
【請求項６】
標的との衝突に際して上記空洞内の標的物質が流出可能になり、上記ピストンが最初に移動することを可能にし、その作用によって、気体圧力が上記膜に解放される請求項５に記載の発射体。
【請求項７】
空洞およびこれと接続されたノーズ部を画定する本体を有する非致死発射体であって、上記本体が圧力気体または圧力気体が生成する装薬を収容し、上記ノーズ部が変形可能または鍛造可能な物質を含み、外部ケーシングが最初に本体空洞と導通し、標的との衝突に際して上記発射体の速度を効果的に低下させる手段を形成する覆う膜を有し、標的と衝突に際して又は衝突時に近接して発生する上記圧力気体によって上記膜が膨張可能な非致死発射体。
【請求項８】
圧力気体が上記発射体に蓄えられ、武器からの発砲に際して発生する推進装薬気体から導出される請求項７に記載の発射体。
【請求項９】
上記圧力気体が、衝突に際して、又は、衝突時に接近して、雷管によって点火される気体生成装薬によって生成される請求項７に記載の発射体。
【請求項１０】
上記気体圧力が同様に上記発射体によって運ばれるペイロードを分散させる請求項１から９までのいずれか一項に記載の発射体。
【請求項１１】
上記膜が、上記発射体のノーズ部の前方末端およびその周りに取り付け及び装備された、膨張可能なバッグの形であるか、又は、伸長可能な材料、又は、それらの組合わせ体である請求項１から１０までのいずれか一項に記載の発射体。
【請求項１２】
上記膜が上記ノーズ部の外部輪郭を形成する請求項１１に記載の発射体。
【請求項１３】
上記膜が膨張可能な材料であるか、又は、折り畳まれているか、又は、膨張を可能にするようにひだ付きであり、かつ、気体に対して半透過性の補強された布地を含む請求項１から１２までのいずれか一項に記載の発射体。
【請求項１４】
上記発射体の上記ノーズ部分が変形可能な、又は、鍛造可能な物質を含み、かつ、衝突に際して拡散する衝撃吸収材料、又は、染料マーカ、又は、他の装置を形成する請求項１から１３までのいずれか一項に記載の発射体。
【請求項１５】
上記物質が中実な発泡状またはゲル状ゲル配合物であり、ナノ多孔性オープンセル発泡体を含む請求項１４に記載の発射体。
【請求項１６】
後部キャニスタ部分およびそれと接続された前部ノーズ部分を有し、上記キャニスタ部分が圧力気体を含むか、又は、圧力気体を含むように形成され、上記キャニスタ部分の上記前部末端部がバルブ手段を有し、上記ノーズ部分が、バルブに作用し、かつ標的との衝突に後続してバルブを開く部分を備えた輪郭衝撃変形可能部分を有し、上記ノーズ部分が上記変形可能材料の周りに膜を備え、上記バルブの開口部を介して圧力気体の解放に際して上記膜が膨張させられる非致死発射体。
【請求項１７】
上記膜がノーズコーン又はカバーによって保護されている請求項１６に記載の発射体。
【請求項１８】
縮射口径装弾筒発射体として作成された請求項１から１７までのいずれか一項に記載の発射体。
【発明の詳細な説明】
【０００１】
【発明の属する技術分野】
本発明は、例えば、動物または他のあらゆる標的を対象としてトランキライザ（神経安定物質）、薬品、ワクチン、医薬を投与、または、識別手段あるいは追跡デバイスを適用するための薬品投与システムとしての使用に適用可能な非貫入発射体に関する。本システムは組織の標本採取にも使用できる。この種発射体は一般にトランキライザダーツ（精神安定剤ダーツ）と称し、これらの主目的は、不当な損傷またはストレスを与えることなしに動物にトランキライザ流体または医薬を遠隔的に投与または注入する手段を提供することにある。
【０００２】
また、本発明は通常「プラスチック弾」または「ゴム弾」と称する非致死的発射体としての使用に適用可能な発射体にも関する。
【０００３】
【従来の技術】
我々の知る限りにおいては、動物を捕捉し、研究し、移住させ、或いは動物に投薬することが長期に亙って必要とされており、現在、そのためには種々の手段が用いられている。最も一般に用いられる方法は衝撃を与えて対象動物の体内に推進かつ注入される精神安定剤を含むように形成された注射器による方法である。これらのトランキライザダーツデバイスの重大な欠点は、弾道特性の特質が明確でないこと及び高度に放物線状の軌道が射距離の推定を臨界的に困難にすることに起因して射距離（レンジ）が明確でなく、着弾精度不足であることにある。本デバイスでは、その長さ及び重量に起因して、発射体としては本質的に不安定である。即ち、本デバイスの主要特性である発射体が深く貫入することを回避するためには、発射体が低速であることが必要であり、薬品投与の安定度を上げるために役立つ程度に発射体をスピンさせることが不可能である。また、既知のこの種諸デバイスは組立てが複雑であり、高度に毒性の強い薬品負荷を持たせるには、充填されるペイロードに比較してデバイス自体が重過ぎる。
【０００４】
【発明が解決しようとする課題】
本発明の一つの目的は、発射体を用いたトランキライザ又は他の薬物投与システムを提供することにある。本発射体はスピンによって安定化されることが好ましく、射距離（レンジ）および着弾精度が改善され、弾道の形状が本質的に安定化され、ＷＯ００／７１９６７Ａ１、及び、ＧＢ２３５０４１４Ａ１に記載かつクレームされた発射体の改良および変形例である。
【０００５】
他の目的は、制約され、制御され、又は、標的内に貫入することのない発射体を提供することにある。
【０００６】
更に別の一つの目的は、発射体自体が装薬を生成す爆発物または気体を含まない発射体を提供することにある。
【０００７】
本発明の更なる一つの目的は、柔軟な標的に対して直接的および近接距離においてさえも高精度で発射可能であり、すべての有意範囲内まで貫入することのないように設計され、胴体または手足を出来る限り損傷することのない非致死発射体を提供することにある。
【０００８】
他の目的は、後続する識別のために標的に印をつけることのできる発射体を提供することにある。
【０００９】
【課題を解決するための手段】
本発明の第１の態様に従い、発射体が標的に衝突する際に発射体の速度を効果的に下げる手段を備えた発射体が提供され、この場合、標的との衝突に後続して、大きい面積に亙って運動エネルギを広げるために発射体のノーズ部分の面積を増大させるように急速に膨張する手段を展開することにより過剰な損傷または貫入を防止するように速度が下げられ、ここに、上記手段の上記膨張は発射体内に運ばれる圧力上昇気体媒体を用いて実施されることを特徴とする。
【００１０】
速度低下手段は、例えば、衝撃センサ又は近接感知手段によるか、又は、バルブデバイスを作動化する物理変位により、標的との衝突に際して作動化される手段を介して圧力上昇媒体に接触する膨張膜を有することが好ましく、前述の膜は前述の圧力を用いて膨張させられ、前述の気体圧力は発射体に蓄えられている気体圧力であることが好ましく、かつ武器からの発射体発砲に際して発生する推進性充満気体から導出されることが好ましい。
【００１１】
本発明の第２の態様によれば、貫入を防止するために標的との衝突に際して発射体の速度を効果的に低下させる手段を備えた発射体が提供され、ここに、速度低下手段は、例えば衝突に際して、又は、衝突時点に接近して衝撃センサ又は近接感知手段によって作動化される膨張膜を有し、前述の膜は発射体に蓄えられている気体圧力を用いて膨張させられ、上記圧力は武器からの発射体発射に際して発生する推進性充満気体から導出されることが好ましい。
【００１２】
本発明の第３の態様によれば、後部キャニスタ部分およびこれに接続された前部ノーズ部分を有する発射体が提供され、前述のキャニスタ部分が圧力気体を含むか、又は、圧力気体を含むように適用され、前述のキャニスタの前部末端部はバルブ手段を有し、前述のノーズ部分はバルブに作用し、衝突の後でバルブを開く輪郭衝突変形可能材料を有し、前述のノーズ部分は変形可能材料機材の周辺に膜を有し、前述の膜はバルブを開くことによる圧力気体の解放によって膨張させられる。
【００１３】
速度は過度の損傷または貫入を防止するように下げられ、この速度低下は発射体のノーズ部分のエリアを急速に大きく広げ、それによって、運動のエネルギを大きいエリア全体に亙って拡張および消散させる手段によって達成可能である。
【００１４】
発射体はスピンを与えるための腔線を有する銃身を有する武器から発射されるように適用されることが好ましい。発射体は装弾筒を用いた縮射口径設計であってよく、５００ｍ／ｓを超過する速度を達成するために漸進腔線ピッチを備えた銃身内で発射される。
【００１５】
好ましい一構成において、発射体は、例えばマーカ流体または染料および弾頭曲面を持つノーズ部などのペイロードを含む空洞を備えた本体を有する。
【００１６】
速度低下手段は、開くか又は広げるために膨張することによるか、又は、引き伸ばしによる拡張または両者の組み合わせにより衝突初期において発射体のノーズ部分の面積を著しく大きくするための手段を有する。
【００１７】
一構成において、速度低下手段は、気体圧力によって開くか又は拡張し、初期衝撃に際してセンサによるか又は近接感知手段を用いて作動化される膨張膜を備える。
【００１８】
一構成において、膜は事前加圧され、抑制手段を形成するためのカバーリングの廃棄に後続して膨張する。
【００１９】
膜は、雷管および爆発性充満状態を生じる気体を介して、又は、蓄えられた気体圧力を用いて膨張させる。この気体装薬または蓄えられた圧力は、包含する空洞内のピストンを駆動することによりマーカを消散させるためにも役立つ。
【００２０】
膜は、容易に破損し、脆く、開口可能、或いは、展開可能なキャップを備えた発射体のノーズ部内に設置することができる。膜は、発射体の前部末端およびその周りに取り付けられたバッグの形を構成し、それによって、所定の深さを越えて貫入することを防止する。
【００２１】
発射体のノーズ部分は衝突に際して拡散するエネルギ吸収材料を形成する固体発泡体状またはゲル状物質を含む。更に詳細には、前述のゲルは、Ａｅｒｏｇｅｌの商標で知られるナノ多孔性オープンセル発泡体を含む。
【００２２】
図１から３に示す実施形態はＷＯ００／７１９６７Ａ１の開示内容に類似するが、本実施形態においては、バッグを膨張させ、物質を注入するための気体圧力が発射体の発射に際して推進気体から導出される。この配置構成では発射体自体が気体生成負荷を搭載する必要がない。
【００２３】
【発明の実施の形態】
本発明に従った実施形態を示す図面を参照して、以下、本発明について更に詳述する。
図１から３に示すように、発射体は、部分３（？）および１つ又は複数のオリフィス６を経て外に出すために針５を介して物質３を前方にドライブするために役立つピストン４において注入されるべき物質を含むコンパートメント２を囲むケーシング１を有する。針５の周りには、ゴム等を材料とし、バルーンのように膨張可能かつ拡張可能な膜７を備える。発射体のノーズ部は、膜７の端末部プラグ（栓）９を支持するケーシング８を有し、このプラグ９は針５の端末部も同様に支持する。
【００２４】
発射体のベースは、ケーシング１に超音波溶接されたエンドキャップ１０を有する。エンドキャップ１０は、例えば、変形可能なゴム、ビード、または、円錐部１２が内部ブリッジ１３によって押し付けられる内部シートを備えたオリフィス１１を有する。ブリッジ１３は小孔１４を備える。
【００２５】
発射体は、推進装薬を運ぶケーシングと一体構造を構成するか、又は、ケース無しでも差し支えない。作動原理を次に示す。発射体が武器から発射される時に、推進装薬から発生する気体圧力は約６００気圧であって、ビード１１を変形させるために十分であり、従って、オリフィス１１および１４を経て圧力気体がピストン４の背後の貯蔵空間１５に入ることを可能にする。一旦、発射体が武器の銃口から離れると、貯蔵部１５の内部圧力はビード１１をシートに後方に押し付けて、オリフィス１１を閉じる。
【００２６】
標的に衝突するとノーズプラグ９は針５の上を後方に移動し、オリフィス６を露出して空洞２内の物質３が流れ出ることを可能にし、ピストン４は前方に移動可能になる。この運動により、コンパートメント２の壁体の小孔１６を開通させ、コンパートメント１５に蓄えられた気体圧力がケーシング１とコンパートメント２との間の空洞に入ることを可能にする。このコンパートメントは通路を介して膜７の内側の空洞１７に接続し、膜を急速に膨張させる。膜はゴム製であるので、膜は伸びて、拡張する。膜は、ノーズコーン内に折り畳まれる伸長不可能または部分的に伸長可能な材料でよい。この動作に際して、ノーズ８は分割されて開き、除去されるか又は後方に剥ぎ取られる。
【００２７】
発射体の速度に関係する一連の事象が発生し、その結果として、針の貫入は最少限になることが理解されるはずである。膜７のバルーン状膨張は発射体を標的に対して後方に押す効果をもたらし、それによって、地面に落下する発射体と共に針５が抜け落ちる。必要に応じて、標的内に発射体が保持されことを可能にするように、膨張に際して生じる膜の形状を改変することが可能である。
【００２８】
図４を参照して、図に示す発射体は、必要に応じて例えば流体としてのマーカ又は染料を含ませるための空洞２を画定できる管状本体ケーシング１を有する。慣性がスピンによって飛行に不安定性を生じさせることを防止するためにスポンジ又は類似の材料によって流体を安定化することが可能である。
【００２９】
衝撃ヒューズ８によって点火される雷管７を生成する気体は、ノーズ部キャップの尖端に向かって配置される。一代替配置構成においては、動作を開始するために、２種類またはそれ以上の種類の不活性物質が一緒に使用され得る。膨張膜またはバッグ１０のネック部９が雷管７に添付され、その反対側の末端部１１はプラグ３に添付される。容易に変形可能な管状材料４は雷管組立体７をプラグ３に接続し、支持物として作用する。空洞２の後部端末部にはピストン１２を備え、その後部端はプラグ３における空洞２およびダクト１４の周りの同心通路１３を介してバッグ１０の内部と導通する。ケーシング１の後部端はテールピース１５によって閉じられている。
【００３０】
発射体の弾道は本質的に安定した形状であり、質量は約８〜１０グラムであり、口径は１．５ｃｍ程度である。情況に応じて更に大きいか、或いは、更に小さい口径を使用する。発射体はプラスチック製の装弾筒によって包含され、標準または漸進ピッチ腔線銃身から発射され、銃口速度は約５００ｍ／ｓである。これらの条件下におけるレンジ（射距離）は１５０ｍのオーダーでなくてはならず、中間距離弾道降下は２０ｃｍ未満である。
【００３１】
ノーズキャップ５は壊れ易いプラスチック製であり、粉砕を容易にするための構造的弱点を備え得る。膨張バッグ１０は、適切な材料例として、Ｋｅｖｌａｒ材料、ラテックス、または、シリコーンでよい。例えばＡｅｒｏｇｅｌのような衝撃吸収材をノーズキャップに含ませる。マーキング用染料物質も同様に含ませる。
【００３２】
使用に際して、武器からの発射に続いて、ノーズ部５が最初に衝撃を受け、雷管７は支持管に沿って後方に駆動され、点火および保持用カフを介して発砲され、固定ピンアセンブリ８によってバッグ１０を急速に膨張させる。バッグ１０は膨張し、衝撃エネルギを広い範囲に亙って広げることによって、過剰貫入を防止する。バッグの膨張に際して、ノーズキャップ５は破壊されて開かれ、破棄され得る。ノーズキャップ５は分散して花弁状に開き、低速化効果（遅延効果）を追加する。膨張の加速とバッグ膜の強化にために、バッグは長さ方向または横方向に細い溝を付け、気体発生化学化合物を用いて被覆または含浸させ得る。バッグ膨張気体はダクト１４および通路１３を経て流出し、ピストン１２を前方へ駆動し、管状材料４を経てマーカを排出する。
【００３３】
一変形例において、発射銃口に前方対面することによって、発射体を更に低速化するために過剰気体圧力が用いられる。
【００３４】
本実施形態の変形例において、ピストン１２背後の空洞すなわち空洞２は発砲に際して推進装薬に露出され、一方向バルブ手段によって閉じ込められた後方ポートから収集された加圧気体によって充満される。この気体は、衝突に際して膜１０を膨張させるために放出される。
【００３５】
本実施形態において、バッグ１０は、更に大きい膨張能力を提供するために、図に示すようにベローズ状に折り畳まれ、雷管装薬を保持する環状支持物５０によって、キャップ５内にノーズ部において保持される。また、この支持物５０は管状材料４、６を中央集中化し、ノーズ部を完全に閉じる。テールピース１５は空洞２の充填を可能にするための取外し可能なプラグ５１を有する。この場合、容器コンテナ１は管状材料４を担持する取外し可能なモジュールであり、発射体外側ケース５２内に収容される。
【００３６】
発射体用推進装薬は、円形単一部分断片を形成する単一構造のカートリッジケーシングの中に含ませ得る。発射体は、現場使用を容易にするためにコード化された種々異なる装薬を用いて定義済みマーカおよび装薬を事前負荷した単体使用デバイスである。ケーシングは炭素繊維材料またはガラス接着炭化水素マトリックスを備える。
【００３７】
本発射体は、包装から除外された場合に限り、武器として使用できるような構造であり得る。
【００３８】
本発射体は一般に２０ｍ程度の接近射距離において発砲が必要とされる柔軟標的に対して特に使用される。
【００３９】
図５に示す更に有利な一実施形態はコンセプトの観点からは図１の実施形態に類似し、バッグを膨張させ、かつ発射体の発砲に際して形成される推進用気体から導入されるマーカ物質を噴出させるために気体圧力が用いられる。また、この配置構成は発射体自体が気体生成装薬を含む必要をなくする。図４に示す既に述べた実施形態は、加圧気体コンパートメント又は爆発性気体生成化合物以外のカプセルを含むことができる。これは販売および規則への適合を更に容易にするはずである。
【００４０】
図５に示すように、本発射体は多くの点で図１の場合に類似し、圧力気体貯蔵チャンバを含む。本発射体は、部分３および管状材料５を介してマーカ物質３を前方に駆動するために役立つピストン４において噴出させられるマーカ物質を含むようにコンパートメント２を取囲むケーシング１を有する。その他の詳細は図１から３と同様である。
【００４１】
蓄えられた気体圧力を使用する本発明に従ったプラスチック弾の構造を図６に示す。
【００４２】
図６を参照して、本発射体の弾道は本質的に安定した形状であり、質量は約１０から１５０グラムであって、口径は１０から５０ｍｍ程度である。情況に応じて更に大きいか、或いは、更に小さい口径を使用しても差し支えない。本発射体はプラスチック製の装弾筒によって包含され、標準または漸進ピッチ腔線銃身から発砲可能であって銃口速度は約５００ｍ／ｓである。これらの条件下における射程距離は１５０ｍのオーダであり、弾道中点における降下は２０ｃｍ未満である。
【００４３】
図に示す構造において、本発射体は、膨張可能な膜またはカバーバッグ３３を保持する前方クロージャ３２を備え、事前に満たされるか、又は、発射に際して燃焼気体によるか、又は、雷管および装薬ユニット３７からの気体によってって満たされる圧力気体貯蔵器３１を形成する後部キャニスタ（金属容器）３０を有する。バッグ３３はインターロック３４によってクロージャ３２のリム（縁）３５に接続される。バッグ３３の形状は維持され、かつ、例えばＡｅｒｏｇｅｌ（商標）のような粘着性フィラー３６によって支持される。バッグ３３は、比較的薄く、初期衝撃によって容易に変形または破壊されるノーズコーンによって保護され得る。
【００４４】
標的との衝突に際して、Ａｅｒｏｇｅｌは変形してから最初に潰れ、Ａｅｒｏｇｅｌのスタブ部分３６ａの後方への移動によってバルブ３８が開く。例えば慣性雷管を使用する場合、貯蔵器３１からの圧力気体、又は、その代わりに、衝突に際して雷管ユニット３７によって生成される圧力気体はバルブ３８を通過して空洞３９に入り、ダクト４０を経てバッグ３３を膨張させる。
【００４５】
既に述べたように、バッグ３３を膨張させるための圧力気体は、気体生成装薬３７を備えた慣性雷管から、又は、コンテナ３１に蓄えられた気体から、又は、気体圧力を保持するための中間バルブ手段を備え、推進気体に露出されたベースに所在するポートを使用した発砲に際して推進装薬によって生成された気体のいずれかから導入してもよい。
【００４６】
他の構成において、慣性雷管は、発砲に際して、加圧気体によって後部空洞３１の充填を開始し、この圧力はバルブプレート３８に対して飛行期間中保持される。他の一代替オプションにおいては、慣性雷管に代置するために加圧カプセルを組み込むことが可能である。
【００４７】
マーカ染料はノーズコーンと膨張膜との間に含まれる。
【００４８】
一変形例においては、発砲銃口に対面する順方向において発射体速度を更に低下させるために過剰気体圧が用いられる。
【００４９】
発射体用推進装薬は、円形単一部分断片を形成する単一構造のカートリッジケーシングの中に含ませ得る。発射体は、現場使用を容易にするためにコード化された種々異なる装薬を用いた定義済みマーカおよび装薬を事前負荷した単体使用デバイスでよい。ケーシングは炭素繊維材料またはガラス接着炭化水素マトリックスを備えている。
【００５０】
本発射体は、包装から除外された場合に限り武器として使用できるような包装構造である。
【００５１】
本発射体は推進装薬を担持するケーシングと一体構造を形成するか、又は、ケースレスでもよい。
【００５２】
発射体の速度に関係する一連の事象が発生し、その結果として、ノーズ部が全然貫入しないか、又は、最少限の貫入になることが理解されるはずである。膜のバルーン状膨張は発射体を標的に対して後方に押す効果をもたらし、それによって、標的に打撃を追加することになる。
【００５３】
ここで用いられる膜は伸延する拡張可能なゴム材料でよく、又は、この材料は最初に膨張し、次に拡張し、最終的に織物開口部を介して気体圧力が抜けることを可能にするＫＥＶＬＡＲ（登録商標）横糸を含み得る。全ての実施形態において、膨張により膜が過剰に伸長することを回避するために圧力解除システムを含み得る。
【図面の簡単な説明】
【図１】
蓄えられた気体圧力を使用する発射体の実施形態を示す縦断面図である。
【図２】
図１に示す発射体のノーズ部の詳細図である。
【図３】
図１に示す発射体のベースの詳細図である。
【図４】
蓄えられた気体圧力をオプションとして使用可能な非致死不能化またはマーキング発射体の長手方向断面図である。
【図５】
推進装薬から導出された蓄えられた気体圧力を使用する非致死不能化またはマーキング発射体の長手方向断面図である。
【図６】
蓄えられた気体圧力を使用する本発明に従ったプラスチック弾の構造を示す図である。
【国際公開パンフレット】
2004505230.tif 000003
2004505230.tif 000004
2004505230.tif 000005
2004505230.tif 000006
2004505230.tif 000007
2004505230.tif 000008
2004505230.tif 000009
2004505230.tif 000010
2004505230.tif 000011
2004505230.tif 000012
2004505230.tif 000013
2004505230.tif 000014
2004505230.tif 000015
2004505230.tif 000016
2004505230.tif 000017
2004505230.tif 000018
2004505230.tif 000019
2004505230.tif 000020
【国際調査報告】
2004505230.tif 000021
2004505230.tif 000022
2004505230.tif 000023